(57)【要約】      （修正有）【課題】台座が一体化された構造で、製造コストと美観との両立が実現でき、しかも台座として様々な素材を選択可能なおりんを提供する。【解決手段】おりんは、底部に位置する台座１１と、鉢状のリン本体２１と、台座１１とリン本体２１を一体化する接続具３１と、からなる構造とする。ここで接続具３１は、オネジ３５が形成された軸部３４と、上端面に位置する円盤状のツバ３３と、からなる形状とする。またリン本体２１の底部中央には、軸部３４を差し込む丸穴２４を設けるほか、台座１１の上面中央には、メネジ１５を設ける。そしてオネジ３５とメネジ１５を螺合させることで、台座１１とリン本体２１が一体化する。この発明は、いずれの構成要素も無理なく製造可能で、製造コストの増加を抑制でき、しかもおりんを見下ろした際、機械的な部品をイメージさせることがなく美観に優れる。そのほか台座１１は金属以外も選択可能で、芸術性を高められる。【選択図】図１
2018000774.tif 000002
【特許請求の範囲】
【請求項１】
底部に位置する台座（１１又は１２）と、鉢状に形成されたリン本体（２１）と、該台座（１１又は１２）と該リン本体（２１）を一体化する接続具（３１）と、からなり、
前記接続具（３１）は、外周面にオネジ（３５）が形成された軸部（３４）と、上端面に位置する円盤状のツバ（３３）と、からなり、
前記リン本体（２１）の底部中央には、前記軸部（３４）を差し込むための丸穴（２４）を設けてあり、
前記台座（１１又は１２）の上面中央には、下方に伸びるメネジ（１５）を設けてあり、
前記オネジ（３５）と前記メネジ（１５）が螺合することで、前記台座（１１又は１２）と前記ツバ（３３）との間に前記リン本体（２１）が挟み込まれ、前記台座（１１又は１２）と前記リン本体（２１）が一体化することを特徴とするおりん。
【請求項２】
前記台座（１２）の上面中央には、下方に向けてくりぬいた空洞部（１７）を設けてあり、該空洞部（１７）には、メネジ（１５）を設けた埋設体（１８）を埋め込み、該埋設体（１８）を接着剤（１９）などで該台座（１２）に固着させ、該埋設体（１８）のメネジ（１５）に前記接続具（３１）のオネジ（３５）を螺合させることを特徴とする請求項１記載のおりん。
【請求項３】
前記接続具（３１）の上面中央には、下方に伸びる円断面の中心穴（３６）を設けてあることを特徴とする請求項１又は２記載のおりん。
【発明の詳細な説明】
【技術分野】
【０００１】
本発明は、仏具の一つで、りん棒で打つことで特有の音色を響かせる、おりんに関する。
【背景技術】
【０００２】
故人を弔うため、座敷などに仏壇を設置している家庭は多い。ただし近年は、住宅環境や生活環境の変化により、都市部を中心として、伝統的な仏壇ではなく、小形で簡素な仏壇が普及し始めている。このような新しい形態の仏壇に並ぶ仏具は、狭い空間での使用を考慮し、小形化が進んでいるが、従来の仏具とは一線を画す斬新なデザインが導入されることも多く、室内装飾としての役割も果たしている。
【０００３】
おりんに関する技術開発の例として、後記の特許文献が挙げられる。特許文献１では、現代風の簡素化デザインに対応し、座布団を無くした新しい形態の高台りんが開示されている。この高台りんは、金属製のおりんと、これを支えるリン台で構成され、おりんの底面中央部には、リン台と一体化できるよう、ネジ孔や雄ネジ部材などからなる連結手段を備えたことを特徴とする。なおこの文献では、御参りの際に違和感を与えないよう、雄ネジ部材の上端面と、おりんの内周面との段差をなくし、面一に仕上げることも開示されている。
【０００４】
次に特許文献２では、墓地などの屋外に常設し、墓石の基台にりん本体を一体化できる仏りん装置が開示されている。りん本体は鉢状で、その底部中心部には貫通孔を設けてあり、さらに管軸とナットとリングと台石を用い、管軸の上端面には環状鍔部を設けるほか、管軸の下端部外周面にはオネジ状のねじ山を形成する。また管軸を差し込むため、台石には縦孔を形成し、基台には縦孔部を形成する。そして、リングを挟んで代石の上にりん本体を載せ、貫通孔から縦孔と縦孔部に向けて管軸を差し込み、管軸のねじ山にナットを螺合すると、環状鍔部でりん本体が固定される。
【先行技術文献】
【特許文献】
【０００５】
【特許文献１】実用新案登録第３０５４６０７号公報
【特許文献２】実用新案登録第３１５１４９３号公報
【発明の概要】
【発明が解決しようとする課題】
【０００６】
おりんは、その残響を持続させるため、りん座布団を用いることが多い。ただし近年は、空間の有効活用のため、製造段階で台座を一体化し、りん座布団が不要なおりんも製造されている。このような台座を一体化したおりんは、台座とおりんとの境界部がくびれた複雑な形状になり、鋳造や削り出しによる一体構造では、製造コストの増加を招く。そこで、台座とおりんを個別に製造し、ネジ機構などで双方を一体化することもあるが、オネジの形成は手間が掛かることが多く、またオネジとしてボルトを用いる場合、美観を向上するため、その頭部を覆い隠すなどの対策が必要になる。このように、台座を一体化したおりんは、製造コストと美観との両立が難しい。
【０００７】
おりんは伝統的な仏具であり、前記のように、台座と一体化するなどの改良はあるものの、その形態に大きな変化はない。しかし台座として、漆塗りの木材や、ガラスといった工芸品を用いるならば、従来にはない芸術性の高いデザインが生み出され、製品の訴求力の向上を期待できる。ただし台座として金属以外の素材を用いる場合、台座とおりんとの一体化には、強度や美観を配慮する必要がある。
【０００８】
本発明はこうした実情を基に開発されたもので、台座が一体化された構造で、製造コストと美観との両立が実現でき、しかも台座として様々な素材を選択可能なおりんの提供を目的としている。
【課題を解決するための手段】
【０００９】
前記の課題を解決するための請求項１記載の発明は、底部に位置する台座と、鉢状に形成されたリン本体と、該台座と該リン本体を一体化する接続具と、からなり、前記接続具は、外周面にオネジが形成された軸部と、上端面に位置する円盤状のツバと、からなり、前記リン本体の底部中央には、前記軸部を差し込むための丸穴を設けてあり、前記台座の上面中央には、下方に伸びるメネジを設けてあり、前記オネジと前記メネジが螺合することで、前記台座と前記ツバとの間に前記リン本体が挟み込まれ、前記台座と前記リン本体が一体化することを特徴とするおりんである。
【００１０】
本発明によるおりんは、台座を有する形態だが、台座とリン本体は別途に製造し、接続具を介して双方を一体化させる。なおリン本体は、上面が開いた一般的な鉢状だが、その直径や高さなど、詳細形状は自在である。また台座についても、詳細形状は自在だが、床面などに安定して据え置ける必要があるほか、その上端面は、リン本体を無理なく載せられる形状とする。そのほか台座とリン本体は、黄銅など、同一の素材を用いることが多い。
【００１１】
接続具は、台座とリン本体を一体化するための部品で、円柱状の軸部を中心に構成され、その一端面には円盤状のツバを設けてある。また軸部の外周面にはオネジを形成してある。なおツバは円盤状であり、多角形にすることはない。そしてリン本体の底部中央には、この軸部を差し込むため、丸穴を設けるが、ツバは丸穴を通過できず、丸穴の外縁をツバが押圧する。
【００１２】
台座の上面中央には、下方に伸びるメネジを形成する。このメネジは、上面中央から下方に伸びる穴の内周面に形成され、接続具のオネジと螺合する。したがって、台座の上面にリン本体を載せた後、リン本体の丸穴の上方から接続具の軸部を差し込み、さらに接続具のオネジを台座のメネジと螺合させると、接続具のツバがリン本体を押圧し、リン本体が台座と接続具に挟み込まれ、これらが一体化する。
【００１３】
本発明で用いるリン本体は、単純な鉢状のおりん（りん座布団を用いるタイプ）の底部中央に丸穴を加工したもので、従来の製品を流用できるため、製造コストを無理なく抑制できる。なお丸穴は、ドリルなどの工具で短時間に加工可能で、製造コストに与える影響は少ない。また台座と接続具のいずれも、円断面の単純な形状で、旋盤などで効率よく製造することができる。
【００１４】
このように、おりんを台座とリン本体と接続具で構成し、接続具によって台座とリン本体を一体化することで、いずれの構成要素とも無理なく製造可能な形状とすることができ、製造コストの増加を抑制できる。またリン本体を押圧するツバは、単純な円盤状で、ボルトなどの機械部品をイメージさせることはなく、美観に優れ、仏具としての適性を有する。そのほか、台座のメネジと接続具のオネジは、台座の外径による制約はあるものの、直径を大きくしやすく、外力に対する強度も確保しやすい。
【００１５】
請求項２記載の発明は、台座の構造に関するもので、台座の上面中央には、下方に向けてくりぬいた空洞部を設けてあり、該空洞部には、メネジを設けた埋設体を埋め込み、該埋設体を接着剤などで該台座に固着させ、該埋設体のメネジに接続具のオネジを螺合させることを特徴とする。台座には、接続具のオネジと螺合するメネジが必要になるが、この発明では、台座自体にメネジを形成するのではなく、台座とは別途に製造した埋設体にメネジを形成する。
【００１６】
埋設体は、円柱状または角柱状の金属で、その中心軸に沿って伸びる穴の内周面にメネジを形成する。なおこの穴は、埋設体の下面に貫通してもよいが、途中までの有底としてもよい。そして埋設体は、台座の上面中央をくりぬいた空洞部に埋め込み、接着剤などで台座に固着させる。したがって埋設体は、最終的には台座の一部となり、この台座の上面にリン本体を載せた後、リン本体の丸穴の上方から接続具の軸部を差し込み、さらに接続具のオネジを埋設体のメネジに螺合させる。
【００１７】
このように埋設体を用いることで、台座の素材を金属以外にも拡張することができ、漆塗りの木材や、ガラスといった工芸品を用い、従来にはない芸術性の高いおりんを提供することができる。なお埋設体を台座に固着させる方法については、接着剤のほか、圧入や釘類の打ち込みなど、素材の性質などに応じ、自在に選択できる。
【００１８】
請求項３記載の発明は、接続具の形状例を示すもので、接続具の上面中央には、下方に伸びる円断面の中心穴を設けてあることを特徴とする。接続具には、何らの穴や凹部も設ける必要はないが、この発明のように中心穴を設けるならば、製造時に接続具を締め付ける作業や、りん棒の保持などに利用することができ、利便性が向上する。なお接続具のツバの外縁は、リン本体の内周面との段差を減らすため、厚さを抑制することがあり、この場合には、中心穴に工具を嵌め込み、接続具を締め付けることが好ましい。
【００１９】
中心穴は、接続具の両端面を貫通させることもあれば、途中で打ち切って有底とすることもある。また中心穴の内径は、りん棒の打玉を緩みなく収容できる寸法とすることで、りん棒を直立した状態で保持することもできる。
【発明の効果】
【００２０】
請求項１記載の発明のように、おりんを台座とリン本体と接続具で構成し、接続具によって台座とリン本体を一体化することで、いずれの構成要素も無理なく製造可能な形状とすることができ、製造コストの増加を抑制できる。またリン本体を押圧するツバは、単純な円盤状で、おりんを見下ろした際も、機械的な部品をイメージさせることがなく、美観に優れ、仏具としての適性を有する。そのほか、台座のメネジと接続具のオネジは、台座の外径による制約はあるものの、直径を大きくしやすく、外力に対する強度も確保しやすい。
【００２１】
請求項２記載の発明のように、メネジを形成した埋設体を台座と一体化することで、台座の素材を金属以外にも拡張することができ、漆塗りの木材や、ガラスといった工芸品を用い、従来にはない芸術性の高いおりんを提供することができる。
【００２２】
請求項３記載の発明のように、接続具の上面中央から伸びる中心穴を設けることで、おりんの製造時、この中に工具を嵌め込み、接続具を回転させることで、締め付け作業が容易になる。また中心穴の内径は、りん棒の打玉を緩みなく収容できる寸法とすることで、りん棒の保持にも利用できる。
【図面の簡単な説明】
【００２３】
【図１】本発明によるおりんの形状例を示す斜視図で、鉢状に形成したリン本体と、リン本体を安定して据え置くための台座と、台座とリン本体を一体化する接続具で構成される。
【図２】図１に描いた各構成要素を半割にした状態と、これらを一体化した状態を示す斜視図である。
【図３】埋設体を用いた台座の形態例を示す斜視図で、台座の素材を自在に選択できることを特徴とする。
【発明を実施するための形態】
【００２４】
図１は、本発明によるおりんの形状例を示す。このおりんは、鉢状に形成したリン本体２１と、リン本体２１を安定して据え置くための台座１１と、台座１１とリン本体２１を一体化する接続具３１で構成され、これらはいずれも黄銅などの金属を素材としており、特有の金属光沢を有する。そしてリン本体２１は、従来と同様の方法で製造されるが、その底部中央をドリルや旋盤で切り抜き、丸穴２４を形成してある。
【００２５】
台座１１は、リン本体２１を床面などに安定して据え置くための役割を担い、旋盤加工で製造された末広がり形状で、その上下両面は平面状に仕上げてある。なお台座１１上面の外径は、リン本体２１の丸穴２４の内径よりも大きく、リン本体２１を安定して載せることができる。ただしリン本体２１の振動を減衰させないよう、接触範囲は抑制してある。また台座１１の上面中央には、軸線方向に伸びるメネジ１５を形成してある。このメネジ１５は、強度を向上させるため、無理のない範囲で直径を大きくしてある。
【００２６】
接続具３１は、円柱状の軸部３４の上端面に円盤状のツバ３３を設けた形状で、軸部３４の外周面には、台座１１のメネジ１５と螺合するオネジ３５を形成してある。また軸部３４の外径は、丸穴２４の内径よりもわずかに小さいが、ツバ３３の外径は、丸穴２４の内径よりも大きい。そのため台座１１にリン本体２１を載せた後、リン本体２１の上方から台座１１に向け、接続具３１を組み込むと、軸部３４が丸穴２４を通過し、やがてオネジ３５がメネジ１５に接触する。それ以降、接続具３１を回転させると、オネジ３５とメネジ１５が螺合し、最終的には、ツバ３３がリン本体２１を押圧し、台座１１とツバ３３との間にリン本体２１が挟み込まれ、全てが一体化する。
【００２７】
接続具３１の上面中央には、軸線方向に伸びる中心穴３６を形成してある。オネジ３５とメネジ１５を螺合させる際、この中心穴３６の内部にペンチなどの工具を嵌め込むと、中心穴３６の内周面と工具との間に摩擦が生じ、無理なく接続具３１を回転させることができる。なお接続具３１の回転に際し、ツバ３３の外周面を利用することもできるが、この個所は、美観を考慮して厚さを抑制することがあるほか、リン本体２１を傷付ける恐れもあり、中心穴３６の利用が好ましい。そのほか中心穴３６は、りん棒４１の打玉４６を緩みなく収容できる内径とし、リン本体２１の中央でりん棒４１を直立させることもできる。
【００２８】
図２は、図１に描いた各構成要素を半割にした状態と、これらを一体化した状態を示す。台座１１のメネジ１５は、台座１１の下面に到達することのない有底で、同様に接続具３１の中心穴３６も有底である。したがって各構成要素を一体化した後は、オネジ３５とメネジ１５のいずれも覆い隠され、全く視認できない。また、おりんを見下ろした際、その内部に露出する線はいずれも円形で、ボルトなどの機械部品をイメージさせることはない。
【００２９】
図２の下方に描くように、リン本体２１の底部中央は、台座１１とツバ３３で挟み込まれているが、その範囲は最小限に抑制し、リン本体２１の振動に影響を与えないよう配慮してある。ただし更なる対策が必要であれば、丸穴２４外縁の上下面にオーリングなどを配置し、台座１１やツバ３３がリン本体２１と直に接触しないようにする。
【００３０】
図３は、埋設体１８を用いた台座１２の形態例を示し、台座１２の素材を自在に選択できることを特徴とする。この図の台座１２は、木材を素材としたもので、下部だけを末広がりとした円柱状だが、その上面中央には、円形にくり抜いた空洞部１７を加工してある。また埋設体１８はリング状の金属で、その内周面にメネジ１５を形成してある。なおこのメネジ１５は、接続具３１のオネジ３５と螺合する。さらに埋設体１８は、空洞部１７に緩みなく嵌まり込む大きさで、双方を接着剤１９で一体化する。接着後、埋設体１８の上面は、台座１２の上面と段差なく並び、埋設体１８は台座１２の一部となる。
【００３１】
埋設体１８を台座１２と一体化させた後は、図１などと同様、台座１２の上面にリン本体２１を載せ、さらに接続具３１で台座１２とリン本体２１を一体化させ、おりんが完成する。図３のように埋設体１８を用いることで、台座１２自体にメネジ１５を形成する必要がなくなり、台座１２として木材やガラスなど、芸術性の高い素材を用いることができる。加えて台座１２に漆などの塗布や、彫刻など、様々な技巧を施すことで、従来にはない芸術性の高いおりんを無理のない価格で提供できるようになる。なお、埋設体１８を台座１２に一体化する方法は、接着剤１９のほか、圧入や釘類の打ち込みなど様々である。
【符号の説明】
【００３２】
１１  台座（金属製）
１２  台座（木製）
１５  メネジ
１７  空洞部
１８  埋設体
１９  接着剤
２１  リン本体
２４  丸穴
３１  接続具
３３  ツバ
３４  軸部
３５  オネジ
３６  中心穴
４１  りん棒
４６  打玉
【図１】
2018000774.tif 000003
【図２】
2018000774.tif 000004
【図３】
2018000774.tif 000005